(57)【要約】  態様によれば、ユーザの画像を提示するための表示面（１０２）と；光を使用して意味情報をユーザに伝達する発光部（１０４）と；発光部（１０４）に対するユーザの位置を測定するセンサ（１０８）と；ユーザの提示される画像に対する発光部（１０４）によって提供される意味情報を伝達する光の影響を最小化するように、発光部（１０４）に対するユーザの測定された位置に基づいて発光部（１０４）を制御するように構成される制御ユニット（１０６）と；を有する、装置（１００）が提供される。
2019527913.tif 000002
【特許請求の範囲】
【請求項１】
ユーザのリアルタイム画像を提示するための表示面と；
光を使用して意味情報を前記ユーザに伝達する発光部と；
前記発光部に対する前記ユーザの位置を測定するセンサと；
前記ユーザおよび提示される前記ユーザの前記画像に対する前記発光部によって提供される前記意味情報を伝達する前記光のシャドーイングおよび／又はカラーキャスティングの影響を最小化するように、前記発光部に対する前記ユーザの測定された前記位置に基づいて前記発光部を制御するように構成される制御ユニットと；
を有する、
装置。
【請求項２】
前記制御ユニットは、前記発光部に対する前記ユーザの前記測定された位置に基づいて前記意味情報を伝達するために使用される前記光の輝度または強度を調整することによって前記発光部を制御するように構成される、
請求項１に記載の装置。
【請求項３】
前記制御ユニットは、前記ユーザが前記発光部から離れているときより前記ユーザが前記発光部に近いときに前記意味情報を伝達する前記光の前記輝度または前記強度が低いように、前記発光部の前記輝度または前記強度を制御するように構成される、
請求項２に記載の装置。
【請求項４】
前記制御ユニットは、前記発光部に対する前記ユーザの前記測定された位置に基づいて前記意味情報を提供するために使用される前記光の色、彩度および／または混色を調整することによって前記発光部を制御するように構成される、
請求項１乃至３のいずれか１項に記載の装置。
【請求項５】
前記発光部は、前記意味情報を伝達するために使用されることができる複数の発光素子を有し、前記制御ユニットは、前記発光部に対する前記ユーザの前記測定された位置に基づいて前記意味情報を伝達するために使用される前記発光素子の数を制御するように構成される、
請求項１乃至４のいずれか１項に記載の装置。
【請求項６】
前記発光部は、前記意味情報を伝達するために使用されることができる複数の発光素子を有し、前記制御ユニットは、前記発光部に対する前記ユーザの前記測定された位置に基づいて、前記発光素子によって放射される光の光放射角度または焦点を制御するように構成される、
請求項１乃至５のいずれか１項に記載の装置。
【請求項７】
前記装置は、前記装置のユーザの１つ若しくは複数の画像またはビデオシーケンスを取得するセンサをさらに有し；
前記制御ユニットはさらに：
取得された前記１つ若しくは複数の画像またはビデオシーケンスを分析して、前記ユーザに対する前記意味情報を伝達する前記光のシャドーイングおよび／またはカラーキャスティングの影響を決定する、および／または前記ユーザに対する照明の均一性を決定し；
前記ユーザおよび提示される前記ユーザの前記リアルタイム画像に対する前記発光部によって提供された前記意味情報を伝達する前記光の前記シャドーイングおよび／またはカラーキャスティングの影響を最小化するように、前記発光部に対する前記ユーザの前記測定された位置と、決定された前記光の前記影響および／または決定された前記照明の均一性とに基づいて、前記発光部を制御する、
ように構成される、
請求項１乃至６のいずれか１項に記載の装置。
【請求項８】
前記装置は：
周辺光レベルまたは周辺光の寄与を検出するセンサをさらに有し；
前記制御ユニットは、前記周辺光および前記発光部に対する前記ユーザの前記測定された位置に基づいて、前記ユーザおよび前記ユーザの提示される前記ユーザの前記リアルタイム画像に対する前記発光部によって提供される前記意味情報の前記シャドーイングおよび／またはカラーキャスティングの影響を最小化するよう、前記発光部を制御するように構成される、
請求項１乃至７のいずれか１項に記載の装置。
【請求項９】
装置のユーザに意味情報を伝達するための装置を動作させる方法であって、前記装置は、前記ユーザのリアルタイム画像を表示するための表示面を有し、前記方法は：
前記装置の発光部に対する前記ユーザの相対的な位置を測定するステップ；および
前記意味情報を前記ユーザに伝達するために光を放射するように前記発光部を制御するステップ；を含み、
前記発光部は、前記ユーザおよび前記表示面に提示される前記ユーザの前記リアルタイム画像に対する前記意味情報を伝達する前記光のシャドーイングおよび／またはカラーキャスティングの影響を最小にするように、測定された前記位置に基づいて制御される、
方法。
【請求項１０】
前記制御するステップは、前記発光部に対する前記ユーザの前記測定された位置に基づいて前記意味情報を伝達するために使用される前記光の輝度または強度を調整することによって前記発光部を制御するステップを含む、
請求項９に記載の方法。
【請求項１１】
前記制御するステップは、前記発光部に対する前記ユーザの前記測定された位置に基づいて前記意味情報を提供するために使用される前記光の色、彩度および／または混色を調整することによって前記発光部を制御するステップを含む、
請求項９又は１０に記載の方法。
【請求項１２】
前記発光部は、前記意味情報を伝達するために使用されることができる複数の発光素子を有し、前記制御するステップは、前記発光部に対する前記ユーザの前記測定された位置に基づいて前記意味情報を伝達するために使用される前記発光素子の数を制御するステップを含む、
請求項９乃至１１のいずれか１項に記載の方法。
【請求項１３】
前記発光部は、前記意味情報を伝達するために使用されることができる複数の発光素子を有し、前記制御するステップは、前記発光部に対する前記ユーザの前記測定された位置に基づいて、前記発光素子によって放射される光の光放射角度または焦点を制御するステップを含む、
請求項９乃至１２のいずれか１項に記載の方法。
【請求項１４】
前記方法は：
前記装置のユーザの１つ若しくは複数の画像またはビデオシーケンスを取得するステップと；
取得した前記１つ若しくは複数の画像またはビデオシーケンスを分析して、前記ユーザに対する前記意味情報を伝達する前記光のシャドーイングおよび／またはカラーキャスティングの影響を決定する、および／または前記ユーザに対する照明の均一性を決定するステップと；をさらに含み、
前記制御するステップは、前記ユーザおよび前記ユーザの提示される前記リアルタイム画像に対する前記発光部によって提供される前記意味情報を伝達する前記光の前記シャドーイングおよび／またはカラーキャスティングの影響を最小化するように、前記発光部に対する前記ユーザの前記測定された位置と、決定された前記光の前記影響および／または決定された前記照明の前記均一性とに基づいて、前記発光部を制御するステップを含む、
請求項９乃至１３のいずれか１項に記載の方法。
【請求項１５】
前記方法は：
周辺光レベルまたは周辺光の寄与を検出するステップをさらに含み；
前記制御するステップは、前記周辺光および前記発光部に対する前記ユーザの前記測定された位置に基づいて、前記ユーザおよび前記ユーザの提示される前記リアルタイム画像に対する前記発光部によって提供される前記意味情報の前記シャドーイングおよび／またはカラーキャスティングの影響を最小化するよう、前記発光部を制御するステップを含む、
請求項９乃至１４のいずれか１項に記載の方法。
【発明の詳細な説明】
【技術分野】
【０００１】
本発明は、反射表面／鏡または表示スクリーンのような表示面を有し、光を用いて装置のユーザに意味情報（semantic  information）を提供することができる装置に関する。
【背景技術】
【０００２】
パーソナルケア活動の間に、鏡がしばしば使用される。このような鏡は、例えば、顔へのメークアップの適用、スキンケア活動を実行すること、グルーミング（例えば、シェービングまたはヘアトリミング）、口腔ケア、コンタクトレンズの装着または除去などをサポートするために、顔および／または身体の良好な視認性をユーザに提供しなければならない。
【０００３】
照明条件を改善し、したがって鏡内のユーザの顔および／または身体の視認性を向上させるために、１つまたは複数の光源がユーザを照らすためにしばしば使用される。これらの光源（複数可）は、鏡と一体化されることができ（例えば、鏡の１つまたは複数のエッジの中または上に位置する）、または鏡から分離されることができる。
【０００４】
反射面を含む伝統的な鏡の代替として、１つまたは複数のカメラまたは他の画像若しくはビデオキャプチャ装置を使用して、ユーザの画像またはビデオをキャプチャし、それらをリアルタイムで（またはほぼリアルタイムで）表示画面上に提示する、いわゆる「仮想ミラー」または「デジタルミラー」が開発されている。これらの仮想ミラーも、照明条件を改善し、したがってユーザの表示画像を向上させるための一体型または分離した照明システムを有することができる。
【発明の概要】
【０００５】
パーソナルケア活動のパフォーマンスを向上させるために、鏡（反射面ベースでも仮想でも）を使用して、ユーザが鏡を使用している間にパーソナルケア活動についての情報をユーザに提示することができることが示唆されている。同様に、ユーザが鏡を使用している間に、鏡を使用して、ニュースヘッドラインまたは天気予報などの他の関連情報をユーザに提示することができる。
【０００６】
いくつかの意味情報（例えば、パーソナルケア活動のパフォーマンスに関する情報またはユーザにとって有用な他の情報）については、鏡に組み込まれたディスプレイを使用してユーザに情報を提供することが可能である。しかし、これは、表示された情報が、ユーザの反射された画像を妨害する（例えば、覆う）可能性があるので、必ずしも望ましいとは限らない。したがって、ミラー内の一体型ディスプレイを使用することは、必ずしも理想的な解決策ではない。その代わりに、意味情報を提供する特定の目的のために、ミラーと一体化された若しくはミラーとともに使用される照明システム、またはミラー内に若しくはミラー上に若しくはミラーが設けられた分離した照明システムを使用して、ユーザに「意味情報」を提示することが提案される。
【０００７】
しかし、ユーザがパーソナルケア活動中にミラー内の顔および／または身体を最適に見ることができるように、ユーザが（周辺光でまたは統合された若しくは別個の照明システムによってのいずれかにより）均一に照明されることも望ましく、ユーザに意味情報を提示するために光を使用することは、ユーザ（したがって、ミラーによって提示されるユーザの画像）上の照明の均一性に影響を及ぼす可能性がある。例えば、赤い光は、十分な時間歯をブラシしていないことをユーザに示すために使用することができるが、これはまた赤い光をユーザの顔に投射しおよび／またはユーザの顔に影を作成し、これはミラー内でユーザに見える。
【０００８】
したがって、ユーザの提示される画像に対する意味情報を伝達する光の影響を最小にする改良された装置および装置を動作させる方法が必要とされている。
【０００９】
第１の態様によれば、ユーザの画像を提示するための表示面と；光を使用して意味情報をユーザに伝達する発光部と；発光部に対するユーザの位置を測定するセンサと；提示されるユーザの画像に対する発光部によって提供される意味情報を伝達する光の影響を最小化するように、発光部に対するユーザの測定された位置に基づいて発光部を制御するように構成される制御ユニットと；を有する、装置が提供される。
【００１０】
いくつかの実施形態では、表示面は、ユーザの画像をリアルタイムで提示することができる。リアルタイム画像は、ユーザのライブ画像とも呼ばれる動的な動画像であり得ることが理解されよう。
【００１１】
いくつかの実施形態では、最小化される影響は、ユーザおよび提示されるユーザの画像に対する発光部によって提供される意味情報を伝達する光のシャドーイング（shadowing）および／またはカラーキャスティング（colour  casting）の影響である。
【００１２】
いくつかの実施形態では、表示面はミラーまたは他の反射面である。他の実施形態では、表示面は、１つまたは複数のカメラ或いは他の画像またはビデオキャプチャ装置によってキャプチャ若しくは取得された画像またはビデオを表示する表示画面である。これらの実施形態では、装置は仮想ミラー、デジタルミラーまたはスマートミラーであることができる。
【００１３】
いくつかの実施形態では、制御ユニットは、発光部に対するユーザの測定された位置に基づいて意味情報を伝達するために使用される光の輝度または強度を調整することによって発光部を制御するように構成される。いくつかの実施形態では、制御ユニットは、ユーザが発光部から離れているときよりユーザが発光部に近いときに意味情報を伝達する光の輝度または強度が低いように、発光部の輝度または強度を制御するように構成される。
【００１４】
いくつかの実施形態では、制御ユニットは、発光部に対するユーザの測定された位置に基づいて意味情報を提供するために使用される光の色、彩度および／または混色を調整することによって発光部を制御するように構成される。
【００１５】
いくつかの実施形態では、発光部は、意味情報を伝達するために使用されることができる複数の発光素子を有し、制御ユニットは、発光部に対するユーザの測定された位置に基づいて意味情報を伝達するために使用される発光素子の数を制御するように構成される。制御ユニットは、ユーザが発光部から離れているときよりユーザが発光部に近いときに意味情報を伝達するために使用される発光素子の数が減るように、意味情報を伝達するために使用される発光素子の数を制御するように構成されることができる。
【００１６】
いくつかの実施形態では、発光部は、意味情報を伝達するために使用されることができる複数の発光素子を有し、制御ユニットは、発光部に対するユーザの測定された位置に基づいて、発光素子によって放射される光の光放射角度または焦点を制御するように構成される。
【００１７】
いくつかの実施形態では、センサは、距離センサ、近接センサ、カメラまたはイメージセンサを含む。
【００１８】
いくつかの実施形態では、装置は、装置のユーザの１つまたは複数の画像あるいはビデオシーケンスを取得するためのセンサをさらに有し；制御ユニットはさらに、取得された１つまたは複数の画像またはビデオシーケンスを分析して、ユーザに対する意味情報を伝達する光の影響を決定するおよび／またはユーザに対する照明の均一性を決定し；提示されるユーザの画像に対する発光部によって提供された意味情報を伝達する光の影響を最小化するように、測定された発光部に対するユーザの位置と、決定された光の影響および／または決定された照明の均一性とに基づいて、発光部を制御する、ように構成される。この実施形態は、ユーザに対する意味情報を伝達する光の実際の影響を考慮に入れて発光部を調整することができるという利点を有する。
【００１９】
いくつかの実施形態では、装置は、周辺光レベルまたは周辺光の寄与を検出するセンサをさらに有し；制御ユニットは、周辺光および発光部に対するユーザの測定された位置に基づいて、提示されるユーザの画像に対する発光部によって提供される意味情報の影響を最小化するよう発光部を制御するように構成される。これらの実施形態では、周辺光レベルまたは周辺光の寄与を検出するセンサは、光センサ、カメラまたはイメージセンサであることができる。この実施形態は、意味情報を伝達する光に対して適切なレベルの調整を行うために、発光部を調整するときに周辺光レベルが考慮されるという利点を有する。
【００２０】
いくつかの実施形態では、表示面は、例えば従来の鏡のように、反射面である。他の実施形態では、表示面は、カメラまたはイメージセンサを使用して取得された画像またはビデオシーケンスを表示する表示画面、すなわち仮想ミラーである。
【００２１】
第２の態様によれば、装置のユーザに意味情報を伝達するための装置を動作させる方法が提供され、この装置は、ユーザの画像を表示するための表示面を有し、この方法は、装置の発光部に対するユーザの相対的な位置を測定するステップ；および意味情報をユーザに伝達するように発光部を制御するステップ、を含み、発光部は、表示面に提示されるユーザの画像に対する意味情報を伝達する光の影響を最小にするように測定された位置に基づいて制御される。
【００２２】
いくつかの実施形態では、表示面は、ユーザの画像をリアルタイムで提示することができる。リアルタイム画像は、ユーザのライブ画像とも呼ばれる動的な動画像であり得ることが理解されよう。
【００２３】
いくつかの実施形態では、最小化される影響は、ユーザおよび提示されるユーザの画像に対する発光部によって提供される意味情報を伝達する光のシャドーイングおよび／またはカラーキャスティング効果である。
【００２４】
いくつかの実施形態では、表示面はミラーまたは他の反射面である。他の実施形態では、表示面は、１つまたは複数のカメラ或いは他の画像またはビデオキャプチャ装置によってキャプチャ若しくは取得された画像またはビデオを表示する表示画面である。これらの実施形態では、装置は仮想ミラー、デジタルミラーまたはスマートミラーであることができる。
【００２５】
いくつかの実施形態では、制御するステップは、発光部に対するユーザの測定された位置に基づいて意味情報を伝達するために使用される光の輝度または強度を調整することによって発光部を制御するステップを含む。いくつかの実施形態では、制御するステップは、意味情報を伝える光の輝度または強度が、ユーザが発光部から離れているときよりユーザが発光部に近いときに低いように、発光部の輝度または強度を制御するステップを含む。
【００２６】
いくつかの実施形態では、制御するステップは、発光部に対するユーザの測定された位置に基づいて意味情報を提供するために使用される光の色、彩度および／または混色を調整することによって発光部を制御するステップを含む。
【００２７】
いくつかの実施形態では、発光部は、意味情報を伝達するために使用されることができる複数の発光素子を有し、制御するステップは、発光部に対するユーザの測定された位置に基づいて意味情報を伝達するために使用される発光素子の数を制御するステップを含む。制御するステップは、ユーザが発光部から離れているときよりユーザが発光部に近いときに意味情報を伝達するために使用される発光素子の数が減るように、意味情報を伝達するために使用される発光素子の数を制御するステップを含むことができる。
【００２８】
いくつかの実施形態では、発光部は、意味情報を伝達するために使用されることができる複数の発光素子を有し、制御するステップは、発光部に対するユーザの測定された位置に基づいて、発光素子によって放射される光の光放射角度または焦点を制御するステップを含む。
【００２９】
いくつかの実施形態では、装置の発光部に対するユーザの位置を測定するステップは、距離センサ、近接センサ、カメラまたはイメージセンサを使用して位置を測定するステップを含む。
【００３０】
いくつかの実施形態では、方法は、装置のユーザの１つ若しくは複数の画像またはビデオシーケンスを取得するステップと；取得した１つ若しくは複数の画像またはビデオシーケンスを分析して、ユーザに対する意味情報を伝達する光の影響を決定するおよび／またはユーザに対する照明の均一性を決定するステップと；をさらに含み、制御するステップは、提示されるユーザの画像に対する発光部によって提供される意味情報を伝達する光の影響を最小化するように、測定された発光部に対するユーザの位置と、決定された光の影響および／または決定された照明の均一性とに基づいて、発光部を制御するステップを含む。この実施形態は、ユーザに対する意味情報を伝達する光の実際の影響を考慮に入れて発光部を調整することができるという利点を有する。
【００３１】
いくつかの実施形態では、方法は、周辺光レベルまたは周辺光の寄与を検出するステップをさらに含み、制御するステップは、周辺光および発光部に対するユーザの測定された位置に基づいて、提示されるユーザの画像に対する発光部によって提供される意味情報の影響を最小化するよう発光部を制御するステップを含む。これらの実施形態では、周辺光レベルまたは周辺光の寄与を検出するセンサは、光センサ、カメラまたはイメージセンサであることができる。この実施形態は、意味情報を伝達する光に対して適切なレベルの調整を行うために、発光部を調整するときに周辺光レベルが考慮されるという利点を有する。
【図面の簡単な説明】
【００３２】
本発明をよりよく理解し、それがどのように実施されるかをより明確に示すために、ここでは単なる一例として添付の図面を参照する。
【００３３】
【図１】本発明の実施形態による装置のブロック図である。
【図２】光を使用して意味情報を提供する例を示す。
【図３】本発明の実施形態による装置を動作させる方法を示すフローチャートである。
【図４−Ｉ】本発明の実施形態による発光部を制御することの例を示す。
【図４−ＩＩ】本発明の実施形態による発光部を制御することの例を示す。
【図５】本発明の実施形態による発光部を制御することの代替例を示す。
【発明を実施するための形態】
【００３４】
図１は、本発明の一実施形態による装置１００の例を示す。装置１００は、概して、ユーザが自分自身を見ることを可能にするとともにユーザに意味情報を提供するためのものである。したがって、装置１００は、装置１００のユーザにユーザの画像（すなわちユーザの反射）を提示するための表示面１０２を有する。いくつかの実施形態では、表示面１０２は、従来の鏡に見られるような反射面（すなわち鏡面）であり、したがって、表示面１０２は、装置１００が使用されているときにユーザを含む周囲の反射を単に提示する。代替的には、装置１００は、いわゆる「仮想ミラー」、「スマートミラー」または「デジタルミラー」であることができ、したがって、表示面１０２は、装置１００に関連付けられるカメラ、イメージセンサまたはビデオセンサによって取得される画像またはビデオシーケンスを表示する表示画面であることができる。このカメラ、イメージセンサまたはビデオセンサは、図１には示されていない。カメラ、イメージセンサまたはビデオセンサは、ユーザが表示面１０２の前にいるとき、表示面１０２がユーザのキャプチャされた画像またはビデオシーケンスを示すように、表示面１０２に対して配置されるまたは向きを合わせられることができる。キャプチャされた画像またはビデオシーケンスは、表示画面上に表示された画像またはビデオシーケンスがユーザの「反射」を表すように、垂直軸の周りで反射され得ることが理解されよう。
【００３５】
表示面１０２が、ユーザの画像またはビデオを表示する表示画面である場合、表示面１０２は、好ましくは、ユーザのリアルタイムまたはライブ画像またはビデオシーケンスを提示することが理解されよう。したがって、画像またはビデオは、装置１００ができる限り従来の反射面ミラーに近い動作をするために、カメラ、イメージセンサまたはビデオセンサによるキャプチャの後、できるだけ迅速に表示画面１０２に表示される。もちろん、（例えば、カメラ、イメージセンサまたはビデオセンサおよび表示画面による画像またはビデオ処理のために）画像またはビデオのキャプチャと表示画面上の表示との間には、小さい遅延が当然あるが、これは、表示画面上に提示される画像またはビデオが、ユーザの視点からリアルタイムまたはライブであるように見えるほど十分に短い（したがって、表示された画像またはビデオは、ユーザに対して、ユーザの反射であるように見える）ことが理解されよう。
【００３６】
意味情報は、発光部１０４を使用してユーザに提供される。特に、発光部１０４は、情報をユーザに伝えるために、特定の構成、パターン、色などで光を放射するためのものである。発光部１０４は、特定の意味情報にそれぞれ関連付けられる単語、数字、記号、画像および／またはパターンを提供または表示するように構成または制御され得る。意味情報は、ユーザによるパーソナルケア活動のパフォーマンスに関する情報、またはユーザにとって有用な他の情報であることができる。
【００３７】
発光部１０４は、通常、複数の発光素子を有する。発光素子は、発光ダイオード、ＬＥＤ、有機ＬＥＤ、ＯＬＥＤ、フィラメントベースの電球、小型の蛍光ランプ、ＣＦＬ、ハロゲン電球などであることができる。発光素子は、異なるサイズ、形状および／または色（若しくは制御可能な色を有する）であることができ、各発光素子は、個別に、または１つ若しくは複数の他の発光素子と組み合わせて制御されることができる。発光素子の１つまたは複数、あるいはすべては、ユーザに意味情報を提供するために、いつでも制御されることができる。
【００３８】
発光部１０４の動作を制御することができる制御ユニット１０６が設けられている。特に、制御ユニット１０６は発光部１０４を制御して必要に応じて意味情報をユーザに提供することができる。発光部１０４が複数の発光素子を有する場合、制御ユニット１０６は、意味情報を提供するために発光素子を個別におよび／または組み合わせて制御することができる。制御ユニット１０６は、例えば、１つまたは複数のセンサまたはパーソナルケアデバイスを使用してユーザを監視することによって、および／または外部情報源（例えば、インターネット）からユーザに提示される情報（例えば、ニュースヘッドラインまたは天気予報）を取得することによって、発光部１０４を使用してユーザに提供されることになる意味情報を決定することができる。
【００３９】
制御ユニット１０６は、必要な機能（複数可）を実行するために、ソフトウェアおよび／またはハードウェアを用いて、多数の方法で実施されることができる。制御ユニット１０６は、必要な機能を実行するためにソフトウェアを使用してプログラムされ得る１つまたは複数のマイクロプロセッサを有し得る。制御ユニット１０６は、いくつかの機能を実行するための専用ハードウェアと、他の機能を実行するためのプロセッサ（例えば、１つまたは複数のプログラムされたマイクロプロセッサおよび関連回路）との組み合わせとして実施され得る。本開示の様々な実施形態で用いられ得るコントローラコンポーネントの例には、従来のマイクロプロセッサ、特定用途向け集積回路（ＡＳＩＣ）、およびフィールドプログラマブルゲートアレイ（ＦＰＧＡ）が含まれるが、これらに限定されない。
【００４０】
いくつかの実施形態では、装置１００を使用するときにユーザの顔および／または身体をよく照明するために（すなわち、ユーザが表示面１０２内で自分自身を見ることをより容易にするために）、装置１００は、ユーザが装置１００を使用している間にユーザを均一に照明する目的で設けられた別の光源（図１には図示せず）をさらに有することができる。上記発光部１０４と同様に、この光源は、１つまたは複数のＬＥＤ、ＯＬＥＤ、フィラメントベースの電球、ＣＦＬ、ハロゲン電球などを有することができる。
【００４１】
代替的には、発光部１０４の一部のみが、いつでもユーザに意味情報を提供するために使用される場合、発光部１０４の他の部分が装置１００のユーザを照らすために使用されることができる。これは、ユーザを照らすために別個の光源が設ける必要を回避する。
【００４２】
いくつかの実施形態では、発光部１０４（したがって発光素子）は、表示面１０２の隣に、その中に、その上に、またはそれを部分的に若しくは完全に囲んで配置される。したがって、例えば、発光部１０４は、表示面１０２の縁を形成することができるが、当業者であれば、発光部１０４および表示面１０２が配置されることができる他の方法に気づくであろう。例えば、発光部１０４は、表示面１０２の１つ又は複数の側部に沿って配置されることができ、またはユーザが壁または他の表面を照らす光から意味情報を知覚することができるように表示面１０２の後ろの壁または他の面を主に照らすように配置されることができる。
【００４３】
いくつかの例では、発光部によって提供される意味情報は、時間に、例えば、歯磨きのようなパーソナルケア活動のためのカウンタ、タイマーまたはカウンタに残っている時間に関するプログレスバーに関係し得る。パーソナルケア活動に関連する意味情報の別の例は、顔のどの領域（複数可）がきれいにされて若しくは剃られているか／いないか、または歯を磨くときに口のどの四半部（quadrants）がブラッシングされたか／されていないかの指示（indication）であることができる。意味情報のさらなる例は、ユーザが歯磨きまたは皮膚を剥離するに際して印加する圧力が十分であるか（または過大であるか）どうかの指示を含むことができる。意味情報のさらなる例は、パーソナルケア装置（例えば、歯ブラシ、シェーバー、ヘアトリマーなど）の位置または向きが正しいかどうかの指示である。発光部１０４によって表示され得る意味情報のさらに別の例は、体重、体重傾向のような健康情報を含む。当業者は、発光部１０４からの光を使用してユーザに提示されることができる多くの他のタイプの意味情報を認識するであろう。
【００４４】
図２は、意味情報が光を用いてユーザにどのように示されることができるかの４つの例を示す。図２では、装置１００は、発光部１０４が表示面の完全な周囲の周りに延びる円形表示面１０２を備えて示されている。表示面１０２は、図示されたものとは異なる形状を有することができる、および／または発光部１０４は、異なって（例えば、表示面１０２の側部の一部に又は表示面１０２の周辺の中に）配置されることができることが理解されよう。
【００４５】
したがって、図２ａでは、矢印１５１によって示されるように、発光部１０４の小さなセグメント１５０から光を放射し、セグメント１５０を表示面１０２の周りを時間と共に移動させることによって、意味情報が提供される。これは、たとえば、パーソナルケア活動の経過時間または残り時間を示すために使用されることができる。発光部１０４自体は移動せず、したがって、セグメント１５０の「移動」は、時間と共に発光部１０４の異なる（例えば、連続する）部分を選択的に明るくすることによって達成されることが理解されよう。セグメント１５０は、発光部１０４内の１つまたは複数の発光素子によって提供されてもよい。いくつかの実施形態では、発光部１０４の他の部分１５２（すなわち、セグメント１５０以外の部分）は、セグメント１５０が点灯している間にスイッチオフにされることができるが、他の実施形態では、部分１５２は、ユーザを照らすために、連続的に点灯することができる、および／またはセグメント１５０とは異なる色または強度で点灯することができる。
【００４６】
図２ｂに示す照明は、経過時間を示すために使用することができる。この例では、進行／タイマーバーセグメント１５４は、時間が経過するにつれてサイズが徐々に増大する。したがって、時間が経過するにつれて、矢印１５５で示すように、発光部１０４のより多くの部分が点灯して、進行／タイマーバー１５４を形成する。図２ａの例と同様に、発光部１０４の残りの部分１５６は、必要になるまでスイッチオフにされることができる、またはユーザを照らすために、連続的に点灯することができる、および／またはバー１５４とは異なる色または強度で点灯することができる。
【００４７】
図２ｃでは、意味情報は、トレンド／ステータスバー１５８、１６０の形態であり、トレンド／ステータスバー１５８、１６０がどれくらい点灯しているかによってターゲットに対するステータス／トレンドが示される。これは、例えば、ユーザが歯ブラシで正しい圧力を加えているかどうかを示すために使用され、正しい圧力量はバー１５８が完全に点灯していることに対応し、過剰な圧力量はバー１６０も（例えば、ユーザがあまりに強く押していることを示すために赤色で）点灯していることに対応する。図２ａおよび２ｂの例と同様に、発光部１０４の残りのセグメント１６２（複数可）は、スイッチオフにされることができる、またはユーザを照らすために、連続的に点灯することができる、および／またはバー１５８、１６０とは異なる色または強度で点灯することができる。
【００４８】
図２ｄは、ユーザが口の各四半部内の歯を正しくブラッシングしたかどうかを表すのに使用できる照明の形態を示す。したがって、発光部１０４は、それぞれが口のそれぞれの四半部を表す４つのセグメント１６４、１６６、１６８、１７０に分割される。この例では、各セグメント１６４、１６６、１６８、１７０の色は、対応する四半部が正しくブラッシングされたかどうかを示すために使用される。したがって、セグメント１６８および１７０は、それらの四半部が正しくブラッシングされたことを示すために緑色であることができ、セグメント１６６は、その四半部が部分的にしかブラッシングされていないことを示すために黄色であることができ、セグメント１６４は、その四半部が全くブラッシングされていないことを示すために赤色であることができる。各セグメントの色は、ユーザが歯をブラッシングするとき、制御されるとともに更新されることができる。
【００４９】
上述したように、ユーザが顔および／または体を最適に見ることができるように、ユーザが（周辺光でまたは発光部１０４若しくは別個の光源によってのいずれかで）均一に照明されることが望ましいが、ユーザに意味情報を提示するために光を使用することは、ユーザへの照明の均一性に（したがって、表示面によって提示されるユーザの画像に）影響し得るという問題が存在する。例えば、光（特に非白色光）を放射することによって意味情報を提供することは、ユーザに対するシャドーイングまたはカラーキャスティングを引き起こす可能性がある。
【００５０】
意味情報を伝達するために使用される光の影響は、ユーザが発光部１０４にどのくらい近いかに依存することが認識されており（例えば、ユーザに対するシャドーイングおよび／またはカラーキャスティングは、ユーザが、より離れているより発光部１０４に近いときより顕著である）、したがって、意味情報を伝達するために使用される光の特性は、シャドーイングまたはカラーキャスティングの影響を最小限に抑えるように調整されることができることが分かっている。したがって、本発明によれば、装置１００は、発光部１０４に対するユーザの位置を測定するためのセンサ１０８を備え、制御ユニット１０６は、提示されるユーザの画像に対する発光部１０４によって提供される意味情報を伝達するために使用される光の影響を最小限に抑えるように、発光部１０４に対するユーザの測定された位置に基づいて発光部１０４を制御するように構成される。
【００５１】
センサ１０８は、発光部１０４に対するユーザの位置を測定するように構成されている。いくつかの実施形態では、センサ１０８は、発光部１０４からユーザまでの（または、より一般的には、装置１００のセンサ１０８からユーザまでの）距離を直接測定する距離センサである。センサ１０８は、測定された距離を表す信号を制御ユニット１０６に出力することができる、または距離を決定するために制御ユニット１０６によって処理または分析されることができる信号を制御ユニット１０６に出力することができる。センサ１０８は、任意の適切なタイプの距離センサ、例えば、ＩＲ近接センサ、超音波距離センサ、またはカメラ若しくは他の画像センサ（その画像は、例えば、制御ユニット１０６によって処理されて、画像内のユーザに対する距離を決定することができるまたは特定のオートフォーカスレベルに関連する距離を決定することができる）であることができる。装置１００が仮想ミラーまたはデジタルミラーである場合、その装置１００に存在するカメラまたは他のタイプの画像センサを使用してキャプチャされた画像またはビデオシーケンスは、発光部１０４に対するユーザの位置を決定するために解析されることができ、したがって、別個のセンサ１０８は必要とされない。
【００５２】
いくつかの実施形態では、センサ１０８は、ユーザが発光部１０４の閾値距離内（より一般的には装置１００の閾値距離内）にあるときかを判定することによって、発光部１０４からユーザまでの距離を間接的に測定し得る。これらの実施形態では、センサ１０８は、近接センサ（例えば、赤外線（ＩＲ）近接センサ）であることができ、センサ１０８は、ユーザが閾値距離内にあるかどうかを示す信号を出力することができる。
【００５３】
上述したように、制御ユニット１０６は、発光部１０４に対するユーザの測定された位置に基づいて発光部１０４を制御するように構成されている。特に、制御ユニット１０６は、意味情報を提供する光の輝度または強度；意味情報を提供する光の色、彩度、カラーバランスまたは色の混合；意味情報のための光を提供するために使用される発光素子の数；意味情報を提供するために使用される発光素子からの焦点または光放射角度；またはそれらの任意の組合せ；を制御することができる。
【００５４】
これにより、制御ユニット１０６は、ユーザが発光部１０４からより離れているときに比べてユーザが発光部１０４に近いときに意味情報を伝達する光の輝度または強度を低減することができる。
【００５５】
これに加えてまたはこれに代えて、制御ユニット１０６は、ユーザが発光部１０４から遠く離れておりかつカラーキャスティングが発生しにくいときに使用される光の色、彩度、カラーバランスまたは色の混合と比較して、ユーザへのカラーキャスティングを引き起こさない（または無視できるカラーキャスティングを引き起こす）ように、ユーザが発光部１０４に近いときに意味情報を伝達する光の色、彩度、カラーバランスまたは色の混合を変更することができる。例えば、ユーザが発光部１０４に近いとき、制御ユニット１０６は、光がユーザの顔に当てるポイントで光が昼白色またはグレーのトーンに混合される、またはカラーキャスティングの効果がユーザにとって無視できる程度に不飽和化される（desaturated）ように、意味情報を伝達する光の色、彩度、カラーバランス、色の混合を制御することができる。
【００５６】
これに加えてまたはこれに代えて、制御ユニット１０６は、ユーザが発光部１０４に近いときに意味情報を伝達する光を提供するために使用される発光素子の数を、ユーザが発光部１０４から遠いときに比べて少なくすることができる。より少ない発光素子の使用は、発光部１０４によって出力される全光を減少させ、したがって、意味情報によって提供されるユーザの追加照明の量を低減する。
【００５７】
これに加えてまたはこれに代えて、制御ユニット１０６は、ユーザが発光部１０４から離れているときに比べてユーザが発光部１０４に近いときに光が発光部１０４からより短い距離で（すなわち近くで）混合されるように、（特に、発光素子が混色を放射する場合に）意味情報を提供するために使用される発光素子からの焦点または光放射角度を変更することができる。
【００５８】
いくつかの実施形態では、発光部１０４のパラメータは、測定された位置または距離に基づいて連続的または半連続的に制御される（すなわち、パラメータは測定された位置または距離によって動的に変化する）ことができることが理解されよう。他の実施形態では、発光部１０４のパラメータは、測定された位置または距離に基づいて、段階的に変更されることができる。さらなる実施形態では、発光部１０４のパラメータは、２つの設定を有することができ、一方の設定は、ユーザが発光部１０４に近接していること（例えば、ユーザが発光部１０４の閾値距離内にいるとき）に基づき、他の設定は、ユーザが発光部１０４から十分離れていること（例えば、ユーザが発光部１０４からの閾値距離を超えているとき）に基づく。
【００５９】
ユーザの測定された位置に基づいて上で概説されたように発光部１０４を制御することは、ユーザが装置１００に近いときに、ユーザに対する意味情報を伝達する光からのシャドーイングまたはカラーキャスティング効果を低減する。いくつかの実施形態では、この効果は、意味情報を伝達する光の輝度または彩度を犠牲にして達成されるが、ユーザが発光部１０４に近くないとき、より明るいおよび／またはより飽和した光（more  saturated  light）は依然として意味情報を提供するために使用されることができる。
【００６０】
図３のフローチャートは、本発明による装置１００を動作させる方法を示している。ステップ１００１では、装置１００発光部１０４に対するユーザの位置が測定される。上述したように、位置は、装置１００のセンサ１０８を使用して測定することができる。いくつかの実施形態では、位置は、発光部１０４または装置１００からのユーザの距離に関して、またはユーザは、発光部１０４の閾値距離内にいるかどうかに関して測定される。
【００６１】
装置１００が、装置１００の発光部１０４からの光を用いて意味情報をユーザに提供することになるとき、制御ユニット１０６は、意味情報を提供するように発光部１０４を制御し、特に提示されるユーザの画像に対する意味情報を伝達する光の影響（例えば、カラーキャスティングおよび／またはシャドーイング）を最小限にするために、測定された位置に基づいて発光部１０４を制御する（ステップ１００３）。
【００６２】
したがって、ステップ１００３において、制御ユニット１０６は、意味情報を提供する光の輝度または強度；意味情報を提供する光の色、彩度、色バランスまたは色の混合；意味情報のために光を提供するために使用される発光素子の数；および／または意味情報を提供するために使用される発光素子からの焦点または光放射角度；を制御するために、発光部１０４に対するユーザの測定された位置に基づいて、発光部１０４を制御する。
【００６３】
図４は、本発明の実施形態による発光部１０４がどのように制御されることができるかの様々な例を示す。図４に示す装置１００は、図２に示す装置１００に類似しており、したがって、発光部１０４が表示面１０２の完全な周囲の周りに延在する円形の表示面１０２を有する。図２と同様に、表示面１０２は、図示されたものとは異なる形状を有することができる、および／または発光部１０４は、（例えば、表示面１０２の側部の一部にのみ、または表示面１０２の周辺内に）異なって配置されることができる。
【００６４】
図４ａおよび４ｂは、ユーザに対する意味情報を伝達する光の影響を最小限に抑えるように発光部１０４がどのように制御されることができるかの第１の例を示す。図４ａおよび４ｂにおける意味情報は、あるいはむしろ意味情報を示す方法は、図２ａに示されているものと同様であり、したがって、例えば、パーソナルケア活動のために時間経過または残っている時間を示すために、表示面１０２の周囲の周りを移動するセグメント２０２を含む。発光部１０４の残りのセグメント２０４は、意味情報を伝達するために使用されない（例えば、残りのセグメント２０４は、全く発光しないか、または概してユーザを照らすために使用される）。セグメント２０２は、複数の発光素子から形成されている。
【００６５】
ユーザが発光部１０４に近いとき、セグメント２０２からの光は、ユーザの顔にシャドーイングまたはカラーキャスティングを引き起こし、これは、表示面１０２上に提示される画像内でユーザに可視であり得る。ユーザが発光部１０４に近くない（例えば、測定された位置が、ユーザが発光部１０４からの閾値距離超にあることを示す）と判定されるとき、セグメント２０２は、図４ａに示すようにすることができる。しかし、ユーザが発光部１０４に近い場合（例えば、測定された位置が、ユーザが発光部１０４からの閾値距離未満であることを示す場合）、セグメント２０２のサイズは、図４ｂに示すように、（例えば、図４ａより少ない発光素子を有するセグメント２０２を表すことによって）小さくされることができる。
【００６６】
セグメント２０２を形成する発光素子の数の変化は、図４ａおよび４ｂに示す意味情報の移動セグメント２０２タイプに限定されず、意味情報がユーザに伝達されるいかなる方法にも適用されることができることが理解されよう。
【００６７】
図４ｃおよび４ｄは、ユーザに対する意味情報を伝達する光の影響を最小限に抑えるように発光部１０４がどのように制御されることができるかの第２の例を示す。図４ｃの意味情報は、表示面１０２の反対側に配置された２つのセグメント２１０を含む（セグメント２１０の図示された位置は限定されないことが理解されるであろう）。発光部１０４の残りのセグメント２１２は、意味情報を伝達するために使用されない（例えば、残りのセグメント２１２は全く発光しないか、または概してユーザを照らすために使用される）。セグメント２１０は、１つまたは複数の発光素子から形成されることができる。図４ｃでは、ユーザは発光部１０４に近接していないので、セグメント２１０は、所望の彩度、色または混色を有する光を用いて意味情報を伝達する。
【００６８】
ユーザが発光部１０４に近いとき、セグメント２１０からの光は、ユーザの顔にシャドーイングまたはカラーキャスティングを引き起こすことがあり、これは、表示面１０２上に提示される画像においてユーザに可視であり得る。したがって、ユーザが発光部１０４に近いと判定される（例えば、ユーザが発光部１０４から閾値距離未満であることを測定位置が示す）とき、制御ユニット１０６は、セグメント２１０を形成する光の彩度、色または混色がユーザにより少ないシャドーイングまたはカラーキャスティングをもたらすように、発光部１０４を制御することができる。従って、図４ｄに示すように、意味情報が図４ｃのセグメント２１４と同じ彩度、色または混色の光を持つ（図４ｃのセグメント２１０より小さい）セグメント２１４を用いて伝達されるように発光部１０４は制御されることができ、セグメント２１４と異なる彩度、色または混色を有する２つの他の小さいセグメント２１６が、セグメント２１４のいずれかの側に設けられるので、セグメント２１４および２１６の組み合わされた効果は、ユーザに対するシャドーイングまたはカラーキャスティングが、図４ｃのセグメント２１０からのものに比べて低減されることである。
【００６９】
例えば、セグメント２１０は明るい赤色であることができ、ユーザが発光部１０４に近いとき、明るい赤色である発光部（セグメント２１４）のサイズは縮小されることができ、あまり飽和していない色（less  saturated  colour）（例えば、ライトピンク）の隣接するセグメント２１６は、ユーザに対するカラーキャスティングまたはシャドーイングを低減するために使用されることができる。
【００７０】
セグメント２１０の彩度、色または混色の変化は、図４ｃおよび４ｄに示す意味情報のタイプに限定されず、意味情報がユーザに伝達される任意の方法に適用することができることが理解されよう。
【００７１】
図４ｅおよび４ｆは、ユーザに対する意味情報を伝達する光の影響を最小限に抑えるように発光部１０４がどのように制御されることができるかの第３の例を示す。図４ｅおよび４ｆの意味情報は、意味情報をユーザに伝達するために個別に制御可能な４つのセグメントを含む。図４ｅおよび４ｆで提供される意味情報のタイプは、図２ｄに示すようにする、例えば、各セグメントが、ユーザの口の四半部が正しくブラッシングされたかどうかを表すことができる。
【００７２】
したがって、図４ｅでは、それぞれが特定の輝度または強度レベルで特定の色を表示する４つのセグメント２２０が提供される。発光部１０４の残りのセグメント２２２は、意味情報を伝達するために使用されない（例えば、残りのセグメント２２２は全く発光しないか、または概してユーザを照らすために使用される）。各セグメント２２０は、１つまたは複数の発光素子から形成されることができる。図４ｅにおいて、ユーザは発光部１０４に近くないので、セグメント２２０は、所望の輝度または強度を有する光を用いて意味情報を伝達する。
【００７３】
ユーザが発光部１０４に近いとき、セグメント２２０からの光は、ユーザの顔に対してシャドーイングまたはカラーキャスティングを引き起こすことがあり、これは、表示面１０２上に提示される画像においてユーザに可視であり得る。したがって、ユーザが発光部１０４に近いと判定される（例えば、ユーザが発光部１０４から閾値距離未満であることを測定位置が示す）とき、制御ユニット１０６は、セグメント２２０を形成する光の輝度または輝度がユーザにより少ないシャドーイングまたはカラーキャスティングをもたらすように、発光部１０４を制御することができる。したがって、図４ｆに示されるように、意味情報が図４ｅのセグメント２２０で使用されるよりも低い輝度、強度または彩度の光を持つセグメント２２４を使用して伝達されるように発光部１０４を制御することができる（セグメント２２６は図４ｅのセグメント２２２と同様に、意味情報を伝達するために使用されない）。したがって、図４ｆのセグメント２２４のより低い輝度および／または強度は、図４ｅのセグメント２２０からのものと比較して、ユーザに対するシャドーイングまたはカラーキャスティングを低減する。
【００７４】
セグメント２２０の輝度、強度または彩度の変化は、図４ｅおよび４ｆに示す意味情報のタイプに限定されず、意味情報がユーザに伝達される任意の方法に適用することができることが理解されよう。
【００７５】
図４ｇおよび４ｈは、ユーザに対する意味情報を伝達する光の影響を最小限に抑えるように発光部１０４がどのように制御されることができるかの第４の例を示す。図４ｇおよび４ｈの意味情報は、図４ａおよび４ｂに示されるものと同様であり、したがって、発光部１０４の周りを移動するセグメント２２８を有する。この例では、発光部１０４の残りのセグメント２３０は意味情報を伝達するために使用されず、概してユーザを照らすために使用される。
【００７６】
この例では、移動セグメント２２８は、平均して残りのセグメント２３０と同じ色（すなわち白色）および強度を有する光を生成する赤色セグメント２２８ｒ、緑色セグメント２２８ｇおよび青色セグメント２２８ｂで形成される。しかし、ユーザは、発光部１０４に近づくとき、意図した「平均化された」白色光ではなく、赤色、緑色および青色のセグメントを知覚することができる（したがって、赤色、緑色および青色光をユーザに投射することができる）ので、ユーザが発光部１０４に近いとき（例えば、ユーザが発光部１０４からの閾値距離未満にあること測定された位置が示すとき）、赤色、緑色および青色セグメント２２８のサイズは、図４ｈのセグメント２３２ｒ、２３２ｇおよび２３２ｂによって示されるように縮小されることができる。セグメント２３２のサイズのこの変化は、赤色、緑色および青色のセグメントが依然としてより近い距離のための所望の光ミックスを生成することができることを意味し、したがって、ユーザは、意図したように（および概して意図したサイズの）「平均化された」色（例えば、白色）を依然として知覚することができ、ユーザに対する赤、緑および青のカラーキャスティングは減少する。
【００７７】
上述したように、いくつかの実施形態では、制御ユニット１０６は、ユーザが発光部１０４に近いときに、ユーザが発光部１０４から遠いときに比べて、光が発光部１０４からより短い距離（すなわち、より近くで）混合されるように、意味情報を提供するために使用される発光素子（特に、発光素子が色の混合を放射するところ）からの焦点または光放射角度を変更することができる。これは図５に示されている。図５ａおよび５ｂは、各発光素子２５０によって放射される光の焦点を変更することができるか、または発光素子２５０からの光の放射角を変更することができる調節可能な光学装置２５２（例えば、調整可能なレンズまたはレンズ装置）をそれぞれ有する３つの発光素子２５０を示している。光学装置２５２を調整することは、各発光素子２５０からの光が混合される発光部１０４からの距離を変化させることができる。例えば、図５ａに示すように、ユーザが発光部１０４に近くない（例えば、ユーザが発光部１０４から閾値距離超であることを測定された位置が示す）とき、光学装置２５２は、（図５ｂに示すように）ユーザが発光部１０４に近い、すなわち、焦点が発光部１０４により近い（放射角度がより広い）ときよりも、光が発光部１０４からさらに離れて混合される（すなわち、放射角度がより狭くなる）ように調節される。
【００７８】
いくつかの実施形態では、上述の測定された位置に基づく発光部１０４の制御は、予め決定されることができ、必要な制御は制御ユニット１０６にプログラムされることができる（すなわち、特定の測定位置に対して、発光部１０４は特定の方法で制御されることになる）。しかし、他の実施形態では、制御ユニット１０６は、意味情報を伝達するために使用される光のカラーキャスティングまたはシャドーイング効果を予測し、この予測を測定された位置と共に使用して、発光部１０４をどのように制御するかを決定することができる。例えば、いくつかの実施形態では、装置１００は、周辺光レベルまたは周辺光の寄与を検出するためのセンサ（例えば、光センサまたはカメラまたは画像センサ）を有することができ、制御ユニット１０６は、測定された位置および測定された周辺光レベルまたは検出された周辺光の寄与に基づいて発光部１０４を制御することができる。例えば、ユーザに意味情報を提供するために使用される光は、環境光レベルが標準またはそれより高いときより周辺光レベルが低いときにシャドーイングまたはカラーキャスティングを引き起こす可能性がより高い。同様に、ユーザに意味情報を提供するために使用される光は、周辺照明によるユーザの照明への寄与が低いユーザの部分にシャドーイングまたはカラーキャスティングを引き起こす可能性がより高い。したがって、周辺光レベルまたは周辺光の寄与が低いと判定される場合、制御ユニット１０６は、周辺光レベルまたは周辺光の寄与が高いかまたは標準であるときよりユーザが発光部１０４に近いときに、意味情報の特性を決定する発光部１０４のパラメータ（複数可）により大きい調整を行い得る。周辺光レベルセンサがカメラまたは画像センサであるいくつかの実施形態では、制御ユニット１０６は、ユーザが（意味情報を伝達する光を含む）装置１００からの光で照明された画像と、ユーザが装置１００からの光で照明されていない（または均一に照明されていない）画像との比較から周辺光レベルまたは周辺光の寄与を決定することができる。特に、制御ユニット１０６は、周辺光レベルまたは周辺光の寄与を決定するために、ユーザが照明されていない画像を、ユーザが照明されている画像から「減算する」ことができる。
【００７９】
いくつかの実施形態では、発光部１０４の制御は、発光部１０４に対するユーザの測定された位置と、ユーザに対する意味情報を伝達する光の分析または観察に基づくことができる。これらの実施形態では、装置１００は、意味情報が発光部１０４を用いてユーザに伝達されるときユーザの１つ若しくは複数の画像またはビデオシーケンスを取得するカメラまたは他の画像センサ（上記の実施形態で説明したカメラまたは画像センサと同じであることができる）を有することができ、制御ユニット１０６は、取得された画像またはビデオシーケンスを解析して、ユーザに対する意味情報を伝達する光の影響を決定するおよび／またはユーザに対する照明の均一性を決定する（例えば、ユーザのどこまたはどの部分が他よりも陰になっているかどうかを決定する）。制御ユニット１０６は、次に、ユーザに対する意味情報を伝達する光の影響を最小限にするために、発光部１０４の調整を決定することができる。例えば、意味情報が赤色光を使用して伝達されている場合、制御ユニット１０６は、画像またはビデオシーケンスを分析して、赤色光がユーザに投射（キャスティング）しているかどうかを判定し、そうであれば、制御ユニット１０６は、ユーザへの光のキャスティングを最小限にするために、明るさ、強度若しくは彩度を減少させる、または色または混色を変更することができる。これらの実施形態では、制御ユニット１０６は、まず、発光部１０４に対するユーザの測定された位置に基づいて、発光部１０４の調整または制御を行い、次いで、さらなる調節または制御が必要かどうかを決定するために、ユーザの画像またはビデオシーケンスを解析することができる。代替的には、これらの実施形態では、制御ユニット１０６は、意味情報をユーザに提示するとともに、発光部１０４に対するユーザの測定された位置およびユーザの画像または映像シーケンスの分析に基づいて発光部１０４の単一の調整または制御を行うように、発光部１０４を制御することができる。
【００８０】
したがって、ユーザの提示される画像に対する意味情報を伝達する光の影響を最小にする改良された装置およびその装置を動作させる方法が提供される。
【００８１】
開示された実施形態に対する変形は、図面、開示および添付の特許請求の範囲の研究から、請求項に記載された発明を実施する際の当業者によって理解され得、達成され得る。特許請求の範囲において、「有する、含む（comprising）」という単語は他の要素またはステップを排除するものではなく、不定冠詞“ａ”または“ａｎ”は複数を除外しない。単一のプロセッサまたは他のユニットが、請求項に列挙されたいくつかの項目の機能を果たすことができる。特定の手段が相互に異なる従属請求項に列挙されているという単なる事実は、これらの手段の組み合わせが有利に使用できないことを示すものではない。コンピュータプログラムは、他のハードウェアと一緒にまたは他のハードウェアの一部として供給される、光学記憶媒体または固体媒体のような適切な媒体上に記憶／分配され得るが、インターネットまたは他の有線若しくは無線の通信システムを介してのように、他の形態で分配され得る。
【００８２】
特許請求の範囲内のいかなる参照符号も、範囲を限定するものとして解釈されるべきではない。
【図１】
2019527913.tif 000003
【図２】
2019527913.tif 000004
【図３】
2019527913.tif 000005
【図４−Ｉ】
2019527913.tif 000006
【図４−ＩＩ】
2019527913.tif 000007
【図５】
2019527913.tif 000008
【手続補正書】
【提出日】平成31年1月9日(2019.1.9)
【手続補正１】
【補正対象書類名】明細書
【補正対象項目名】０００４
【補正方法】変更
【補正の内容】
【０００４】
反射面を含む伝統的な鏡の代替として、１つまたは複数のカメラまたは他の画像若しくはビデオキャプチャ装置を使用して、ユーザの画像またはビデオをキャプチャし、それらをリアルタイムで（またはほぼリアルタイムで）表示画面上に提示する、いわゆる「仮想ミラー」または「デジタルミラー」が開発されている。これらの仮想ミラーも、照明条件を改善し、したがってユーザの表示画像を向上させるための一体型または分離した照明システムを有することができる。
特許文献１は、ユーザを照明するための照明システムを有するミラーを開示しており、照明システムは、検出器に依存して互いに独立して作動することができる複数の照明要素を含む。検出器は、ユーザの位置を検出するように構成されている。
特許文献２は、自分の画像を見ている人を「引き立てる」ように、光源の照明を適合させる簡単で直観的な方法を提供し得るディスプレイおよび照明装置を開示している。例えば、白／薄い皮膚がセンサシステムによって知覚されるときに暖かい光が使用されることができ、暗い／黒い皮膚がセンサシステムによって知覚されるときに、冷たい光が使用されることができる。しかし、しわ（顔の陰影）が知覚される場合には、照明を適応させることもできる。
特許文献３は、ミラーの背面に配置された発光ユニットを有するミラー装置を開示している。
特許文献４は、ミラーの前に位置するオペレータの画像を取得し、得られた画像を仮想画像と一致させ、仮想画像への操作者の操作に基づいて特定の指示を処理するように構成された電子装置を開示している。
特許文献５は、ディスプレイとミラーとを含むデバイスを開示し、このデバイスは、表示場所でユーザに情報を表示するように構成されている。表示場所は、反射されたユーザ画像の場所によって決定される。
特許文献６は、照明源と、照明源によってシーン内の照明を変化させるよう制御されるように構成された適応光学要素と、シーンに対応する照明パターンを決定するように構成され、決定された照明パターンに基づいて、照明源によってシーン内の照明を変更するよう適応光学要素を制御するように構成されたコントローラと、を有する、捕捉されるべきシーンを照明する装置を開示している。
特許文献７は、偏光フィルタを通してユーザの顔を撮像するカメラと、ユーザの顔に偏光を照射する偏光照明とを有する、電子デバイスのディスプレイ上にユーザの顔の鏡像を表示するための電子ミラー装置を開示している。
【特許文献１】国際公開第２００９／０７７９４６号
【特許文献２】国際公開第２０１１／１５８１４３号
【特許文献３】特開２００２−１９９９９５号
【特許文献４】米国特許出願公開第２０１５／２５４８８１号
【特許文献５】国際公開第２０１６／０４８１０２号
【特許文献６】韓国特許出願公開第２０１６／０４４４０５号
【特許文献７】特開２０１５−０２９１６８号
【国際調査報告】
2019527913.tif 000009
2019527913.tif 000010
2019527913.tif 000011